(57)【特許請求の範囲】
【請求項１】
機器本体に回転軸を中心として開閉体が回転自在に設けられ、前記機器本体と前記開閉体の間に亘ってフレキシブルケーブルが配策され、前記開閉体の開閉過程にあって前記フレキシブルケーブルの配策状態が維持されるよう組み付けされるフレキシブルケーブルの組付構造であって、
前記フレキシブルケーブルが前記回転軸に巻き付く経路で配策されていると共に、前記開閉体の開位置では前記フレキシブルケーブルに干渉し、前記開閉体の開位置におけるフレキシブルケーブルの配索経路長が前記開閉体の閉位置における配索経路長とほぼ同じになるように配策経路長を長くするケーブル弛み防止壁が前記開閉体に設けられ、前記開閉体が閉位置から開位置に変移するときに、前記ケーブル弛み防止壁の前記ケーブルへの干渉量が徐々に大きくなるように構成されているとともに、前記ケーブル弛み防止壁の前記フレキシブルケーブルが干渉する先端面がアール面に形成されていることを特徴とするフレキシブルケーブルの組付構造。
【請求項２】
請求項１に記載のフレキシブルケーブルの組付構造であって、
前記機器本体はタコグラフ本体であり、前記開閉体は、前記タコグラフ本体の内部を開閉するためのカバーであることを特徴とするフレキシブルケーブルの組付構造。
【発明の詳細な説明】
【技術分野】
【０００１】
本発明は、固定側と回転側との間の電気的接続を行うために、双方の間に亘って配索するフレキシブルケーブルの組付構造に関する。
【背景技術】
【０００２】
この種のフレキシブルケーブルの組付構造が従来より種々提案されている（例えば特許文献１〜特許文献３参照）。かかるフレキシブルケーブルの組付構造の一従来例を適用したタコグラフ（運行記録装置）が図５〜図７に示されている。図５〜図７において、タコグラフ５０は、タコグラフ本体５１と、このタコグラフ本体５１の前面に配置されたフロントパネル５２と、このフロントパネル５２の開口５２ａを開閉するカバー５３とを備えている。
【０００３】
タコグラフ本体５１内には、ロール紙６０が収容されるロール紙収容部６１と、印刷ヘッド６２と、ロール紙６０を印刷ヘッド６２に所定経路で導く一方の紙ガイド部６３と、プリント配線板６４とが設けられている。
【０００４】
カバー５３は、回転軸６５を中心としてタコグラフ本体５１に回転自在に支持されている。カバー５３は、図６に示す閉位置と図７に示す開位置との間で変位する。カバー５３の開閉によってロール紙６０の交換等を行うことができる。カバー５３の内面側には、プラテン６６と他方の紙ガイド部６７と液晶表示部６８とが設けられている。
【０００５】
フレキシブルケーブルＣは、その一端がタコグラフ本体５１内のプリント配線板６４に、他端側がカバー５３側のケーブル接続部５３ａに接続されている。フレキシブルケーブルＣの中間位置にはバネ引っ掛け部材７０が付設されている。このバネ引っ掛け部材７０に引っ張りバネ７１の一端が掛止され、引っ張りバネ７１の他端がタコグラフ本体５１の上方部５１ａに掛止されている。フレキシブルケーブルＣは、引っ張りバネ７１のバネ力によってタコグラフ本体５１内に吊り下げられ、且つ、バネ引っ掛け部材７０より他端側がロール紙収容部６１の外面に巻き付くように配索されている。フレキシブルケーブルＣの巻き付け基準位置Ｐ１０からカバー５３側のケーブル接続部５３ａに接続された他端位置Ｐ１１までは、ほぼ最短経路で配策されている。
【０００６】
上記構成において、カバー５３が図６に示す閉位置から図７に示す開位置に変移すると、フレキシブルケーブルＣのロール紙収容部６１の巻き付け基準位置Ｐ１０からカバー５３側のケーブル接続部５３ａに接続された他端位置Ｐ１１までの配索距離が徐々に長くなる。すると、フレキシブルケーブルＣに作用するテンションが徐々に大きくなり、引っ張りバネ７１が下方に徐々に伸長する。これにより、フレキシブルケーブルＣが配索距離の延長分だけカバー５３側に送り出される。
【０００７】
カバー５３が図７に示す開位置から図６に示す閉位置に変位すると、フレキシブルケーブルＣのロール紙収容部６１の巻き付け基準位置Ｐ１０からカバー５３側に接続された他端位置Ｐ１１までの配索距離が徐々に短くなる。すると、フレキシブルケーブルＣに作用するテンションが徐々に小さくなり、引っ張りバネ７１が上方に徐々に収縮する。これにより、フレキシブルケーブルＣが配索距離の短縮分だけタコグラフ本体５１内に引き戻される。
【０００８】
このようにフレキシブルケーブルＣには、引っ張りバネ７１のテンションが常時作用しているため、カバー５３の開閉時にフレキシブルケーブルＣが弛んだ状態とならないため、フレキシブルケーブルＣがフロントパネル５２とカバー５３の間に挟まったり、他部品の尖った部分に接触したりして配線パターンが損傷するという事態を防止できる。
【先行技術文献】
【特許文献】
【０００９】
【特許文献１】特開２００４−３０２３７７号公報
【特許文献２】特開２００２−２１７５６３号公報
【特許文献３】特開平９−２２２５４３号公報
【発明の概要】
【発明が解決しようとする課題】
【００１０】
しかしながら、前記従来のフレキシブルケーブルＣの組付構造では、フレキシブルケーブルＣにテンションを作用させるための引っ張りバネ７１やバネ引掛け部材７０が必要であるため、構成が複雑であり、部品点数の増加、コストの増加、組み付け工数の増加を招来するという問題がある。
【００１１】
そこで、本発明は、前記した課題を解決すべくなされたものであり、開閉体の開閉時におけるフレキシブルケーブルの弛みを簡単な構成で防止できるフレキシブルケーブルの組付構造を提供することを目的とする。
【課題を解決するための手段】
【００１２】
機器本体に回転軸を中心として開閉体が回転自在に設けられ、前記機器本体と前記開閉体の間に亘ってフレキシブルケーブルが配策され、前記開閉体の開閉過程にあって前記フレキシブルケーブルの配策状態が維持されるよう組み付けされるフレキシブルケーブルの組付構造であって、前記フレキシブルケーブルが前記回転軸に巻き付く経路で配策されていると共に、前記開閉体の開位置では前記フレキシブルケーブルに干渉し、前記開閉体の開位置におけるフレキシブルケーブルの配索経路長が前記開閉体の閉位置における配索経路長とほぼ同じになるように配策経路長を長くするケーブル弛み防止壁が前記開閉体に設けられ、前記開閉体が閉位置から開位置に変移するときに、前記ケーブル弛み防止壁の前記ケーブルへの干渉量が徐々に大きくなるように構成されているとともに、前記ケーブル弛み防止壁の前記フレキシブルケーブルが干渉する先端面がアール面に形成されていることを特徴とする。
請求項２の発明は、請求項１に記載のフレキシブルケーブルの組付構造であって、前記機器本体はタコグラフ本体であり、前記開閉体は、前記タコグラフ本体の内部を開閉するためのカバーであることを特徴とする。
【発明の効果】
【００１３】
請求項１の発明によれば、開閉体の開閉時におけるフレキシブルケーブルの弛みを防止するのに、開閉体に所定高さのケーブル弛み防止壁を設けるだけで良いため、フレキシブルケーブルの弛みを簡単な構成で防止できる。
【００１４】
請求項２の発明によれば、タコグラフに配索されたフレキシブルケーブルの弛みを簡単な構成で防止できる。
【図面の簡単な説明】
【００１５】
【図１】本発明の一実施形態を示し、タコグラフの正面図である。
【図２】本発明の一実施形態を示し、図１のＡ−Ａ線断面図である。
【図３】本発明の一実施形態を示し、カバーが開位置とされた状態の図１のＡ−Ａ線に相当する断面図である。
【図４】本発明の一実施形態を示し、カバーが閉位置と開位置である場合におけるフレキシブルケーブルの各配索経路を示す概略図である。
【図５】従来例を示し、タコグラフの正面図である。
【図６】従来例を示し、図５のＢ−Ｂ線断面図である。
【図７】従来例を示し、カバーが開位置とされた状態の図５のＢ−Ｂ線に相当する断面図である。
【発明を実施するための形態】
【００１６】
以下、本発明の一実施形態を図面に基づいて説明する。
【００１７】
図１〜図４は、本発明に係るフレキシブルケーブルの組付構造をタコグラフ（運行記録装置）に適用した実施形態を示す。図１はタコグラフ１の正面図、図２は図１のＡ−Ａ線断面図、図３はカバー４が開位置とされた状態の図１のＡ−Ａ線に相当する断面図、図４はカバー４が閉位置と開位置である場合におけるフレキシブルケーブルＣの各配索経路を示す概略図である。
【００１８】
図１〜図３において、タコグラフ１は、機器本体であるタコグラフ本体２と、このタコグラフ本体２の前面に配置されたフロントパネル３と、このフロントパネル３の開口３ａを開閉する開閉体であるカバー４とを備えている。
【００１９】
タコグラフ本体２内には、ロール紙１０が着脱自在に収容されるロール紙収容部１１と、ロール紙１０に印刷を行う印刷ヘッド１２と、ロール紙収容部１１のロール紙１０を印刷ヘッド１２に所定経路で導く一方の紙ガイド部１３と、プリント配線板１４とが設けられている。
【００２０】
カバー４は、回転軸２０を中心としてタコグラフ本体２に回転自在に支持され、図２に示す閉位置と図３に示す開位置との間で変移する。カバー４の開閉によってロール紙１０の交換等を行うことができる。カバー４の内面側には、プラテン２１と他方の紙ガイド部２２と液晶表示部２３とが設けられている。カバー４の閉位置では、プラテン２１が印刷ヘッド１２の圧接可能位置に位置され、他方の紙ガイド部２２が一方の紙ガイド部１３に隙間を持って対向配置される。
【００２１】
フレキシブルケーブルＣは、フレキシブルプリント基板より構成されている。フレキシブルケーブルＣは、その一端がタコグラフ本体２内のプリント配線板１４に、他端側がカバー４側のケーブル接続部２４にそれぞれ接続されている。フレキシブルケーブルＣは、プリント配線板１４の接続された一端側よりタコグラフ本体２内の底面に向かって垂下され、底面に達した後に底面に沿って開口３ａ側に向い、ロール紙収容部１１と底面との隙間を通ってカバー４側に露出し、その後に回転軸２０に巻き付く経路を通ってカバー４の内面側を上方に向かい、カバー４側のケーブル接続部２４に達するように配策されている。
【００２２】
又、カバー４の下端には、ケーブル弛み防止壁３０が一体に設けられている。ケーブル弛み防止壁３０は、図２に示すように、カバー４の閉位置ではタコグラフ本体２の底面に沿う向きとなる。ケーブル弛み防止壁３０は、図３に示すように、カバー４の開位置では上方に突出する向きとなり、フレキシブルケーブルＣに干渉してその配索経路を強制的に変更する。ケーブル弛み防止壁３０の高さＨ（図４に示す）は、カバー４の開位置におけるフレキシブルケーブルＣの配索経路長がカバー４の閉位置におけるフレキシブルケーブルＣの配索経路長とほぼ同じ配索経路長となるよう設定されている。
【００２３】
換言すれば、カバー４の閉位置と開位置において、フレキシブルケーブルＣのロール紙収容部１１の接触エンド位置Ｐ１（図４に示す）から回転軸２０の巻き付けを経てカバー４側に接続される他端位置Ｐ２（図４に示す）に達するまでの双方の配索経路長がほぼ同じになるよう設定されている。ケーブル弛み防止壁３０のフレキシブルケーブルＣが干渉する面は、アール面３０ａに形成されている。
【００２４】
上記構成において、カバー４が図２に示す閉位置から図３に示す開位置に変移すると、ケーブル弛み防止壁３０がフレキシブルケーブルＣへの干渉量を徐々に大きくし、配索経路長が徐々に長くなる。そして、最終的にカバー４の開位置におけるフレキシブルケーブルＣの配索経路長がカバー４の閉位置におけるフレキシブルケーブルＣの配索経路長とほぼ同じ配索経路長となるため、フレキシブルケーブルＣが弛むことなく配索される。
【００２５】
カバー４が図３に示す開位置から図２に示す閉位置に変移すると、ケーブル弛み防止壁３０がフレキシブルケーブルＣへの干渉量を徐々に小さくし、配索経路長を徐々に短くなる。そして、最終的にカバー４の閉位置におけるフレキシブルケーブルＣの配索経路長がカバー４の開位置におけるフレキシブルケーブルＣの配索経路長とほぼ同じ配索経路長となるため、フレキシブルケーブルＣが弛むことなく配索される。
【００２６】
このようにフレキシブルケーブルＣは、カバー４の開閉時に弛んだ状態とならないため、フレキシブルケーブルＣがフロントパネル３とカバー４の間に挟まったり、他部品の尖った部分に接触したりして配線パターンが損傷するという事態を防止できる。
【００２７】
以上説明したように、カバー４の開閉時におけるフレキシブルケーブルＣの弛みを防止するのに、カバー４に所定高さＨのケーブル弛み防止壁３０を設けるだけで良いため、フレキシブルケーブルＣの弛みを簡単な構成で防止でき、部品点数、コスト、組み付け工数が一切増加しない。
【００２８】
この実施形態では、機器本体はタコグラフ本体２であり、開閉体は、タコグラフ本体２の内部を開閉するためのカバー４であるので、タコグラフ１に配索されたフレキシブルケーブルＣの弛みを簡単な構成で防止できる。尚、タコグラフ１以外にも本発明を適用できることはもちろんである。
【符号の説明】
【００２９】
２  タコグラフ本体（機器本体）
４  カバー（開閉体）
２０  回転軸
３０  ケーブル弛み防止壁
Ｃ  フレキシブルケーブル
【図１】
0005613435.tif 000002
【図２】
0005613435.tif 000003
【図３】
0005613435.tif 000004
【図４】
0005613435.tif 000005
【図５】
0005613435.tif 000006
【図６】
0005613435.tif 000007
【図７】
0005613435.tif 000008